(57)【特許請求の範囲】
【請求項１】
函状の紙幣入出金機本体と、紙幣入出金機本体内に収容される箱状の紙幣リジェクトカセットと、紙幣リジェクトカセットの底部の隅角部にそれぞれ回転自在に設けられたローラと、紙幣リジェクトカセットの底部の後方寄りでローラより内側に設けられた２つの座と、紙幣入出金機本体の底部内面で、収容される紙幣リジェクトカセットの各々左右における前後のローラの転接位置にそれぞれ設けられたガイドプレートとからなり、
紙幣リジェクトカセットの各座の高さ寸法を、紙幣入出金機本体内に紙幣リジェクトカセットが収容された状態のときにおける紙幣リジェクトカセットの底部から張り出すローラの張り出し寸法と紙幣入出金機本体のガイドプレートの高さ寸法とを足した寸法より小さく、かつ前記ローラの張り出し寸法より大きくなるように設定したことを特徴とする紙幣入出金機。
【請求項２】
前記紙幣入出金機本体の底部背面側に一端が固定され、他端が前記紙幣リジェクトカセットを前記紙幣入出金機本体の前面側に向けて付勢するバネ部材を設けたことを特徴とする請求項１記載の紙幣入出金機。
【発明の詳細な説明】
【０００１】
【発明の属する技術分野】
本発明は例えば紙幣を収納する紙幣カセットを収容した紙幣入出金機、特にその紙幣リジェクトカセットを引き出し易くするようしたもの関する。
【０００２】
【従来の技術】
従来の紙幣入出金機は、紙幣入出金機本体内に収容されている紙幣リジェクトカセットの底部に座が設けられているため、紙幣入出金機本体内から紙幣リジェクトカセットを引き出そうとするときに、座が抵抗となって紙幣リジェクトカセットが引き出しにくくなっていたため、オペレータは力まかせに紙幣リジェクトカセットを引き出さなくてはならず、オペレータに負担をかけていたという問題点があった。
【０００３】
本発明は、このような問題点を解決するためになされたものであり、紙幣入出金機本体内から紙幣リジェクトカセットを容易に引き出することができ、しかも引き出した後は紙幣リジェクトカセットを床に安定した状態に保持できるようにした紙幣入出金機を得ることを目的とする。
【０００４】
【課題を解決するための手段】
本発明に係る紙幣入出金機は、函状の紙幣入出金機本体と、紙幣入出金機本体内に収容される箱状の紙幣リジェクトカセットと、紙幣リジェクトカセットの底部の隅角部にそれぞれ回転自在に設けられたローラと、紙幣リジェクトカセットの底部の後方寄りでローラより内側に設けられた２つの座と、紙幣入出金機本体の底部内面で、収容される紙幣リジェクトカセットの各々左右における前後のローラの転接位置にそれぞれ設けられたガイドプレートとからなり、紙幣リジェクトカセットの各座の高さ寸法を、紙幣入出金機本体内に紙幣リジェクトカセットが収容された状態のときにおける紙幣リジェクトカセットの底部から張り出すローラの張り出し寸法と紙幣入出金機本体のガイドプレートの高さ寸法とを足した寸法より小さくなるように設定されている。
【０００５】
本発明においては、紙幣入出金機本体内に収容される箱状の紙幣リジェクトカセットの底部に設けられた各座の高さ寸法を、紙幣入出金機本体内に紙幣リジェクトカセットが収容された状態のときにおける紙幣リジェクトカセットの底部に設けられたローラの底部からの張り出し寸法と紙幣入出金機本体のガイドプレートの高さ寸法とを足した寸法より小さくなるように設定されているから、紙幣入出金機本体内に紙幣リジェクトカセットが収容されている場合に、紙幣リジェクトカセットの底部に設けられたローラが紙幣入出金機本体のガイドプレート上に転接され、紙幣リジェクトカセットに設けられた座は紙幣入出金機本体の底部内面に接触しないため、紙幣リジェクトカセットを手前側に引くことでローラがガイドプレート上を転がっていくことにより、滑らかに引き出すことができ、また紙幣入出金機本体から引き出された紙幣リジェクトカセットが平らな面にある場合は、紙幣リジェクトカセットの座が平らな面と接触してローラが床面と接触しないため、紙幣リジェクトカセットは平らな面に安定した状態を保持できるという効果がある。
【０００６】
【発明の実施の形態】
実施の形態１．
図１は本発明の実施形態１に係る紙幣入出金機の構成を示す一部を破断した側面、図２は同紙幣入出金機の構成を正面図、図３は同紙幣入出金機の要部を示す構成図である。
図において、１は上部が開口した函状の紙幣入出金機本体、２は紙幣入出金機本体１に設けられ、紙幣入出金機本体１を所定の設置場所に固定するための取付プレート、３は紙幣入出金機本体１内に収容された箱状の紙幣リジェクトカセットで、その前面に上部と中央部に取手４がそれぞれ設けられている。
【０００７】
５は紙幣リジェクトカセット３の底部の四隅にそれぞれ取り付けられたローラ取付ブラケット、６は各ローラ取付ブラケット５に軸止されたローラシャフト、７は各ローラシャフト６に回転自在に取り付けられたローラ、８は紙幣リジェクトカセット３の底部の後方寄りで、後方の各ローラ６よりもそれぞれ内側に設けられた２つの座である。
１０は紙幣入出金機本体１の底部内面で、収容される紙幣リジェクトカセット３の各々左右における前後のローラ７の転接位置にそれぞれ設けられたガイドプレートである。
【０００８】
また、ローラ７の取付位置と座８の高さとガイドプレート１０の高さとの関係は次式が成立するように設定される。
a＞２ｒという前提で、ｔ＋ａ＋ｂ＜Ｈ＋Ｒ＋ｒ  ・・・・・式（１）
ｔ＋ｂ    ＞Ｒ−ｒ      ・・・・・式（２）
なお、上記式（１）、（２）において、ａはローラ取付ブラケット６に形成されたローラ位置決め用穴の長さ、ｂは紙幣リジェクトカセット３に設けられた座８の高さ、Ｈは紙幣入出金機本体１の底部内面に設けられたガイドプレート１０の高さ、ｒはローラシャフト６の半径、Ｒはローラ７の半径、ｔは紙幣リジェクトカセット３の底部の板厚である。
【０００９】
上記式（１）は、紙幣入出金機本体１内に紙幣リジェクトカセット３が収容されている場合、紙幣入出金機本体１のガイドプレート１０上に紙幣リジェクトカセット３のローラ７が転接され、紙幣リジェクトカセット３に設けられた座８が紙幣入出金機本体１の底部内面に接触しないように設定したことを意味し、上記式（２）は、紙幣入出金機本体１から引き出された紙幣リジェクトカセット３が床面にあるとき、座８が床面と接触してローラ７が床面と接触しないように設定したことを意味する。
これは、言葉を換えていうと、紙幣リジェクトカセット３の各座８の高さ寸法を、紙幣入出金機本体１内に紙幣リジェクトカセット３が収容された状態のときにおける紙幣リジェクトカセット３の底部から張り出すローラ７の張り出し寸法と紙幣入出金機本体１のガイドプレート１０の高さ寸法とを足した寸法より小さくなるように設定されていることを意味する。
【００１０】
次に、本発明の実施の形態１に係る紙幣入出金機の動作を説明する。
紙幣入出金機本体１内に紙幣リジェクトカセット３が収容されている場合には、式（１）に示す条件に設定されていることにより、図１、２に示すように、紙幣リジェクトカセット３の底部の隅角部の４カ所に設けられたローラ７が紙幣入出金機本体１のガイドプレート１０上に転接され、紙幣リジェクトカセット３に設けられた座８が紙幣入出金機本体１の底部内面に接触していないから、紙幣リジェクトカセット３を手前側の引き出し方向に引くように軽く力を加えると、ローラ７がローラシャフト６を中心に回転し、ガイドプレート１０上を転がっていくことにより、滑らかに引き出すことができ、従来の方法では引き出す時の力の加えすぎによる紙幣リジェクトカセット３の状態の不安定を招くことがない。
【００１１】
また、紙幣入出金機本体１から引き出された紙幣リジェクトカセット３が平らな面の床面にある場合は、式（２）に示す条件に設定されていることにより、紙幣リジェクトカセット３の座８が床面と接触してローラ７が床面と接触しないから、紙幣リジェクトカセット３は床面に安定した状態を保持できる。
さらに、式（１）、（２）に示す条件はローラ７の取付位置と座８の高さとガイドプレート１０の高さとの関係を寸法設定によって行っているため、構成が簡単で、安く作ることができ、少ないスペースで実現することができる。
【００１２】
実施の形態２．
図４は本発明の実施形態２に係る紙幣入出金機の構成を示す一部を破断した側面図である。
図において、本発明の実施形態１と同様の構成は同一符号を付して重複した構成の説明を省略する。
この実施の形態２は、紙幣入出金機本体１の背面側に一端がビス１６で固定され、他端が前面側に向けて付勢する板バネ１５を設けたものである。
この実施の形態２では、紙幣入出金機本体１の背面側に前面側に向けて付勢する板バネ１５を設けているから、紙幣入出金機本体１内に収容された紙幣リジェクトカセット３が収容状態が維持されるようロック手段によってロックされたり、扉が閉じられていて、そのロック手段によるロックが解除されたり、扉が開かれたりした場合に、紙幣入出金機本体１の背面側に設けられた板バネ１５が紙幣リジェクトカセット３を前面側に向けて付勢することにより、紙幣リジェクトカセット３が取り出せなかったり、取り出しずらい所でも、紙幣リジェクトカセット３が自律的に手前側の引き出し方向に押し出されてくるため、作業者による紙幣リジェクトカセット３の引き出し作業がさらにし易くなる。
【００１３】
【発明の効果】
以上のように本発明によれば、紙幣入出金機本体内に収容される箱状の紙幣リジェクトカセットの底部に設けられた各座の高さ寸法を、紙幣入出金機本体内に紙幣リジェクトカセットが収容された状態のときにおける紙幣リジェクトカセットの底部に設けられたローラの底部からの張り出し寸法と紙幣入出金機本体のガイドプレートの高さ寸法とを足した寸法より小さくなるように設定されているから、紙幣入出金機本体内に紙幣リジェクトカセットが収容されている場合に、紙幣リジェクトカセットの底部に設けられたローラが紙幣入出金機本体のガイドプレート上に転接され、紙幣リジェクトカセットに設けられた座は紙幣入出金機本体の底部内面に接触しないため、紙幣リジェクトカセットを手前側に引くことでローラがガイドプレート上を転がっていくことにより、滑らかに引き出すことができ、カセット引き出しの際オペレータの負担を軽減し、また紙幣入出金機本体から引き出された紙幣リジェクトカセットが平らな面にある場合は、紙幣リジェクトカセットの座が平らな面と接触してローラが床面と接触しないため、紙幣リジェクトカセットは平らな面に安定した状態を保持できるという効果がある。
【図面の簡単な説明】
【図１】本発明の実施形態１に係る紙幣入出金機の構成を示す一部を破断した側面である。
【図２】同紙幣入出金機の構成を正面図である。
【図３】同紙幣入出金機の要部を示す構成図である。
【図４】本発明の実施形態２に係る紙幣入出金機の構成を示す一部を破断した側面図である。
【符号の説明】
１  紙幣入出金機本体
３  紙幣リジェクトカセット
７  ローラ
８  座
１０  ガイドプレートで
【図１】
0003813033.tif 000002
【図２】
0003813033.tif 000003
【図３】
0003813033.tif 000004
【図４】
0003813033.tif 000005